(57)【要約】【課題】Ｂ−ＣＡＳカード等の媒体の盗難の防止に有効な情報出力装置を提供する。【解決手段】出力信号のコンテンツ保護機能のための媒体を挿抜可能で、出力信号のコンテンツ保護機能を持つ情報出力装置であって、前記媒体の挿入および取り出しを検出する媒体管理手段（１３）と、前記媒体管理手段（１３）が前記媒体の取り出しを検知すると、警報を通知する警報手段（１９）とを備える【選択図】図１
2009278318.tif 000002
【特許請求の範囲】
【請求項１】
出力信号のコンテンツ保護機能に利用される媒体を挿抜可能で、出力信号のコンテンツ保護機能を持つ情報出力装置であって、
前記媒体の挿入および取り出しを検出する媒体管理手段と、
前記媒体管理手段が前記媒体の取り出しを検知すると、警報を通知する警報手段とを備えることを特徴とする情報出力装置。
【請求項２】
前記警報手段を有効又は無効に設定することができる警報有効／無効設定手段をさらに備えることを特徴とする請求項１記載の情報出力装置。
【請求項３】
前記警報手段が警報を通知しているとき、前記媒体管理手段が前記媒体の挿入を検出すると、前記警報手段は警報の通知を停止することを特徴とする請求項１又は２に記載の情報出力装置。
【請求項４】
前記警報を通知する警報手段を、警報音を出力する警報手段とすることを特徴とする請求項１乃至３のいずれか１項に記載の情報出力装置。
【請求項５】
キー入力を受け付けるキー入力手段と、
前記媒体管理手段が前記媒体の取り出しを検出すると、前記キー入力手段のキー入力を少なくとも部分的に無効にするキー入力無効手段とをさらに備えることを特徴とする請求項４に記載の情報出力装置。
【請求項６】
前記キー入力無効手段が前記キー入力手段のキー入力を少なくとも部分的に無効にしているとき、前記媒体管理手段が前記媒体の挿入を検出すると、前記キー入力無効手段は無効にしている前記キー入力手段のキー入力を有効にすることを特徴とする請求項５に記載の情報出力装置。
【請求項７】
利用者を特定する識別番号を持ち、出力信号のコンテンツ保護機能に利用される媒体を挿抜可能で、出力信号のコンテンツ保護機能を持つ情報出力装置であって、
特定の識別番号を持つ前記媒体の挿入および取り出しを検出する媒体管理手段と、
前記媒体管理手段が前記特定の識別番号を持つ前記媒体の取り出しを検知すると、警報を通知する警報手段とを備えることを特徴とする情報出力装置。
【請求項８】
前記警報手段を有効又は無効に設定することができる警報有効／無効設定手段をさらに備えることを特徴とする請求項７記載の情報出力装置。
【請求項９】
前記警報手段が警報を通知しているとき、前記媒体管理手段が前記特定の識別番号を持つ媒体の挿入を検出すると、前記警報手段は警報の通知を停止することを特徴とする請求項７又は８に記載の情報出力装置。
【請求項１０】
前記警報を通知する警報手段を、警報音を出力する警報手段とすることを特徴とする請求項７乃至９のいずれか１項に記載の情報出力装置。
【請求項１１】
キー入力を受け付けるキー入力手段と、
前記媒体管理手段が前記特定の識別番号を持つ前記媒体の取り出しを検出すると、前記キー入力手段のキー入力を少なくとも部分的に無効にするキー入力無効手段とをさらに備えることを特徴とする請求項７乃至１０のいずれか１項に記載の情報出力装置。
【請求項１２】
前記キー入力無効手段が前記キー入力手段のキー入力を少なくとも部分的に無効にしているとき、前記媒体管理手段が前記特定の識別番号を持つ前記媒体の挿入を検出すると、前記キー入力無効手段は無効にしている前記キー入力手段のキー入力を有効にすることを特徴とする請求項１１に記載の情報出力装置。
【発明の詳細な説明】
【技術分野】
【０００１】
本発明は、情報出力装置に関する。
【背景技術】
【０００２】
地上デジタルテレビジョン放送、ＢＳデジタル放送、１１０度ＣＳデジタル放送といったデジタル放送を受信する正規の受信機には、不正なコピー等からコンテンツに含まれる各種権利を保護（コンテンツ保護）する機能(コンテンツ保護機能）を搭載することを条件として、Ｂ−ＣＡＳ社より供給されたＢ−ＣＡＳ（BS Conditional Access System）カードが付属している。デジタル放送はスクランブルされて送出されているため、受信機に設けられた挿入部にＢ−ＣＡＳカードを挿入しないと視聴することができないようになっている。
【０００３】
近年、デジタル放送における不正なコピー等を行うことを目的とした不正受信機が登場してきている。このような不正受信機は、Ｂ−ＣＡＳカードでデスクランブルする機能を持つが、Ｂ−ＣＡＳ社はこのような不正受信機にはＢ−ＣＡＳカードを供給することはないので、Ｂ−ＣＡＳカードが付属していない。したがって、このような不正受信機の使用者は、デジタル放送のスクランブルを解くために、Ｂ−ＣＡＳカードを何らかの手段で入手しなければならない。
【０００４】
一方、２０１１年７月２５日のテレビ放送完全デジタル化に向けて、ホテルなどの公共施設のテレビジョン受像機もデジタル放送対応受信機に置き換えられつつある。このような公共施設などに設置されるデジタル放送対応受信機は、特別なものではなく、一般に市販されているものが多く、当然Ｂ−ＣＡＳカードも挿入されている。上記のような不正受信機の登場によって、このような公共施設などのデジタル放送対応受信機からＢ−ＣＡＳカードが盗難される危険性が急速に高まっている。
【０００５】
従来から、家電量販店などでは、店頭に展示用に設置されるデジタル放送対応受信機からＢ−ＣＡＳカードを抜き取られる盗難被害が発生しており、店側からはこのような盗難を防止する対策が待ち望まれていた。
【０００６】
このようなＢ−ＣＡＳカードの盗難を防止する対策として、特許文献１には、カードの挿入口を冶具によって塞ぎ、カードを物理的に取り出しにくくしたカードの盗難防止機構が開示されている。
【０００７】
特許文献２には、カード型デバイス挿入口の少なくとも一部を覆う位置に出入りするロック板を具備し、カードを物理的に取り出しにくくした電子機器が開示されている。
【０００８】
特許文献３には、カード型デバイス用スロットのカード挿入口前方にカード型デバイスの挿抜操作を阻害するケーブル等の障害物を配し、カードを物理的に取り出しにくくした電子機器が開示されている。
【０００９】
特許文献４には、スロットに挿入されたカード型デバイスを所定位置に保持するためのロック板、および、該ロック板によるカードロックを解除する操作を制限するためのラッチ装置を具備し、カードを物理的に取り出しにくくした電子機器が開示されている。
【００１０】
【特許文献１】特開２００６−２３７９７１号公報
【特許文献２】特開２００６−５６８７号公報
【特許文献３】特開２００６−４２１８号公報
【特許文献４】特開２００５−３５２８０９号公報
【発明の開示】
【発明が解決しようとする課題】
【００１１】
Ｂ−ＣＡＳカードは、元来有料放送を視聴可能とするために誕生したものである。有料放送の契約はカード毎に行われる。したがって、ユーザが複数の受信機を有する場合、例えば、昼間はリビングのテレビジョン受像機にＢ−ＣＡＳカードを挿入して有料放送を視聴し、夜間は寝室のテレビジョン受像機に同じＢ−ＣＡＳカードを挿入して有料放送を視聴するといった利用形態が可能である。これは、同様に販売店でも、購入希望者から家庭で視聴している有料放送の画質を確認したいと要望が合った場合で、購入希望のテレビジョン受像機に非契約のＢ−ＣＡＳカードが挿入されていた場合、別の受信機の有料放送契約カードと交換することによって、視聴可能とすることができ、購入希望者へ画質を確認してもらうことが可能である。
【００１２】
上記引用文献１〜４に開示されているような、Ｂ−ＣＡＳカードを物理的に取り出しにくくすることによってＢ−ＣＡＳカードの盗難を防止する対策では、複数の受信機間で同じＢ−ＣＡＳカードを使う際に非常に手間がかかってしまうという問題があった。また、機構が複雑化するため、コストアップの懸念もある。このため、採用されにくい状況であった。
【００１３】
本発明は、このような実情を鑑みてなされたものであり、Ｂ−ＣＡＳカード等の媒体の盗難の防止に有効な情報出力装置を提供する。
【課題を解決するための手段】
【００１４】
本発明の情報出力装置は、著作権保護機能に利用される媒体を挿抜可能で、出力信号のコンテンツ保護機能を持つ情報出力装置であって、前記媒体の挿入および取り出しを検出する媒体管理手段と、前記媒体管理手段が前記媒体の取り出しを検知すると、警報を通知する警報手段とを備えることを特徴とする。
【００１５】
前記警報手段を有効又は無効に設定することができる警報有効／無効設定手段をさらに備えてもよい。
【００１６】
前記警報手段が警報を通知しているとき、前記媒体管理手段が前記媒体の挿入を検出すると、前記警報手段は警報の通知を停止するようにしてもよい。
【００１７】
前記警報を通知する警報手段を、警報音を出力する警報手段としてもよい。
【００１８】
キー入力を受け付けるキー入力手段と、前記媒体管理手段が前記媒体の取り出しを検出すると、前記キー入力手段のキー入力を少なくとも部分的に無効にするキー入力無効手段とをさらに備えてもよい。
【００１９】
前記キー入力無効手段が前記キー入力手段のキー入力を少なくとも部分的に無効にしているとき、前記媒体管理手段が前記媒体の挿入を検出すると、前記キー入力無効手段は無効にしている前記キー入力手段のキー入力を有効にするようにしてもよい。
【００２０】
本発明の他の情報出力装置は、利用者を特定する識別番号を持ち、著作権保護に利用される媒体を挿抜可能で、出力信号のコンテンツ保護機能を持つ情報出力装置であって、特定の識別番号を持つ前記媒体の挿入および取り出しを検出する媒体管理手段と、前記媒体管理手段が前記特定の識別番号を持つ前記媒体の取り出しを検知すると、警報を通知する警報手段とを備えることを特徴とする。
【００２１】
前記警報手段を有効又は無効に設定することができる警報有効／無効設定手段をさらに備えてもよい。
【００２２】
前記警報手段が警報を通知しているとき、前記媒体管理手段が前記特定の識別番号を持つ媒体の挿入を検出すると、前記警報手段は警報の通知を停止するようにしてもよい。
【００２３】
前記警報を通知する警報手段を、警報音を出力する警報手段としてもよい。
【００２４】
キー入力を受け付けるキー入力手段と、前記媒体管理手段が前記特定の識別番号を持つ前記媒体の取り出しを検出すると、前記キー入力手段のキー入力を少なくとも部分的に無効にするキー入力無効手段とをさらに備えてもよい。
【００２５】
前記キー入力無効手段が前記キー入力手段のキー入力を少なくとも部分的に無効にしているとき、前記媒体管理手段が前記特定の識別番号を持つ前記媒体の挿入を検出すると、前記キー入力無効手段は無効にしている前記キー入力手段のキー入力を有効にするようにしてもよい。
【発明の効果】
【００２６】
本発明の情報出力装置は、Ｂ−ＣＡＳカード等の媒体の盗難の防止に有効である。
【発明を実施するための最良の形態】
【００２７】
以下、図面を参照して本発明の実施の形態について詳細に説明する。
図１は、本発明の情報出力装置の構成の一例を示すブロック図である。情報出力装置１は、キー入力部１１と、Ｂ−ＣＡＳカード挿入部１２と、制御部１３と、チューナ１４と、デマルチプレクサ１５と、映像音声処理部１６と、映像出力部１７と、音声出力部１８と、警報音出力部１９と、音声混合部２０とを備える。
【００２８】
情報出力装置１は、例えば、デジタル放送を受信可能なテレビジョン受像機、ＤＶＤレコーダ、ハードディスクレコーダ、ハイブリッドレコーダ、デジタル放送受信チューナ等であってもよい。
【００２９】
キー入力部１１は、情報出力装置１本体又はリモコン装置に配置されたキーからのキー入力を受け付ける。Ｂ−ＣＡＳカード挿入部１２には、Ｂ−ＣＡＳカードが挿入される。制御部１３は、情報出力装置１の各部の制御に加え、後述する盗難防止のための動作を制御する。
【００３０】
チューナ１４は、放送信号に同調し、特定のトランスポートストリームを取り出す。デマルチプレクサ１５は、デスクランブラを内蔵し、スクランブル（暗号化）された信号（トランスポートストリーム）を復号する。この復号のために、まずデマルチプレクサ１５は、放送波に多重されているＥＣＭ（Entitlement Control Message）をトランスポートストリームから分離し、制御部１３を経てＢ−ＣＡＳカード挿入部１２に挿入されたＢ−ＣＡＳカードに送る。Ｂ−ＣＡＳカードは前記ＥＣＭから復号鍵を生成し、制御部１３を経てデマルチプレクサ１５に送り返す。デマルチプレクサ１５は、この復号鍵を使用してスクランブルされた信号を復号する。デマルチプレクサ１５は、復号された信号から映像・音声データ、選局情報等を分離し、映像・音声データは映像音声処理部１６に、選局情報等は制御部１３に供給する。また、デマルチプレクサ１５は、放送波に多重されているＰＭＴ（Ｐｒｏｇｒａｍ  Ｍａｐ  Ｔａｂｌｅ）に記載されたコンテンツ保護情報を取得する。
【００３１】
映像音声処理部１６は、圧縮されている映像・音声データを伸張し、映像データを映像出力部１７に、音声データを音声出力部１８に供給する。映像出力部１７は、映像データに制御部１３から供給されるメニュー等のグラフィックを重ね、例えば、情報出力装置１がテレビジョン受像機の場合は表示部（図示せず）に、情報出力装置１がＤＶＤレコーダ等の場合には映像外部出力端子に出力する。音声出力部１８は、制御部１３の制御の下で音声データの音量を調節して音声混合部２０に供給する。また、映像出力部１７と音声出力部１８は、外部に出力する信号に対し、制御部１３から供給されたコンテンツ保護情報に従ったコンテンツ保護情報を付加する。
【００３２】
制御部１３は、Ｂ−ＣＡＳカード挿入部１２に挿入されているＢ−ＣＡＳカードが取り出されたことを検出すると、警報音出力部１９に警報音を出力させる。音声混合部２０は、音声出力部３０から供給される音声データと、警報音出力部１９から供給される警報音とを混合し、情報出力装置１がテレビジョン受像機の場合はスピーカ（図示せず）に、情報出力装置１がＤＶＤレコーダ等の場合には音声外部出力端子に出力する。警報音出力用のスピーカをさらに備え、警報音出力部１９から直接このスピーカを経て警報音を出力するようにしてもよい。
【００３３】
警報音出力部１９が警報音を出力しているとき、Ｂ−ＣＡＳカード挿入部１２にＢ−ＣＡＳカードが再挿入された場合、制御部１３はこれを検出し、警報音出力部１９に警報音の出力を停止させるようにしてもよい。
【００３４】
警報音出力部１９が警報音を出力しているとき、制御部１３は、同時にキー入力部１１における情報出力装置１本体又はリモコン装置に配置されたキーからのキー入力の受け付けを無効にするようにしてもよい。このようにすれば、音量を下げられたり、情報出力装置１の電源をオフにされたりすることによって警報音が出力されなくなることを防止することができる。
【００３５】
公共の施設や店頭に展示用に設置される情報出力装置において、Ｂ−ＣＡＳカードの盗難は重大な問題である。しかしながら、一般のユーザが家庭内で複数の情報出力装置を使用する場合、Ｂ−ＣＡＳカードを情報出力装置間で移動させるたびに警報音が鳴ったりキー入力が無効になったりするのは不便である。そこで、メニュー画面などにおいて、警報音の出力やキー入力の無効化を行わないように設定できるようにしてもよい。この設定は、所有者以外が設定変更できないようパスワードなどで管理されることが必要である。一般のユーザに公開されていない、メーカや販売店など特定のユーザのみ使用できる隠しメニューであってもよい。さらには、メーカや販売店など特定のユーザのみ使用できる特定のキー入力で設定／設定解除としてもよい。
【００３６】
図２は、図１に示す本発明の情報出力装置の動作の一例を説明するフローチャートである。
【００３７】
ステップＳ２０１において、制御部１３は、Ｂ−ＣＡＳカード挿入部１２にＢ−ＣＡＳカードが挿入されたか否かを判定し、挿入された場合はステップＳ２０２に進み、挿入されていない場合はステップＳ２０１を繰り返す。
【００３８】
ステップＳ２０２において、制御部１３は、警報音出力部１９が警報音を出力している場合は警報音出力部１９に警報音の出力を停止させる。
【００３９】
ステップＳ２０３において、制御部１３は、キー入力部１１におけるキー入力の受け付けが無効になっている場合はキー入力部１１におけるキー入力の受け付けが有効になるように設定する。
【００４０】
ステップＳ２０４において、制御部１３は、Ｂ−ＣＡＳカードがＢ−ＣＡＳカード挿入部１２から抜かれたか否かを判定し、Ｂ−ＣＡＳカードが抜かれた場合はステップＳ２０５に進み、Ｂ−ＣＡＳカードが抜かれていない場合はステップＳ２０４を繰り返す。
【００４１】
ステップＳ２０５において、制御部１３は、警報音の出力やキー入力の無効化を行わない設定が有効になっているか、または無効になっているかの設定値を読み出す。
【００４２】
ステップＳ２０６において、制御部１３は、読み出した設定値が有効である場合にはステップＳ２０７に進み、無効の場合は、ステップＳ２０１に戻る。
【００４３】
ステップＳ２０７において、制御部１３は、キー入力部１１におけるキー入力の受け付けが無効になるように設定する。
【００４４】
ステップＳ２０８において、制御部１３は、警報音出力１９に警報音を出力させ、ステップＳ２０１に戻る。
【００４５】
また、特開２００６−２３８２５５号公報の段落００２８に記載のように、Ｂ−ＣＡＳカードには、一般ユーザ用、製造メーカ用、店舗用がそれぞれ区別できるような識別番号が付与されている。そこで、制御部１３が、Ｂ−ＣＡＳカードの識別番号を読み出し、この識別番号が特定の識別番号、すなわち、一般ユーザ用以外の識別番号であると判定した場合にのみ、警報音の出力やキー入力の無効化を行うようにしてもよい。
【００４６】
図３は、図１に示す本発明の情報出力装置の動作の別の一例を説明するフローチャートである。
【００４７】
ステップＳ３０１において、制御部１３は、Ｂ−ＣＡＳカード挿入部１２にＢ−ＣＡＳカードが挿入されたか否かを判定し、挿入された場合はステップＳ３０２に進み、挿入されていない場合はステップＳ３０１を繰り返す。
【００４８】
ステップＳ３０２において、制御部１３は、Ｂ−ＣＡＳカード挿入部１２に挿入されたＢ−ＣＡＳカードの識別番号を読み出す。
【００４９】
ステップＳ３０３において、制御部１３は、読み出した識別番号が特定の識別番号であるか否かを判定し、特定の識別番号である場合はステップＳ３０４に進み、特定の識別番号でない場合はステップＳ３０６に進む。
【００５０】
ステップＳ３０４において、制御部１３は、警報音出力部１９が警報音を出力している場合は警報音出力部１９に警報音の出力を停止させる。
【００５１】
ステップＳ３０５において、制御部１３は、キー入力部１１におけるキー入力の受け付けが無効になっている場合はキー入力部１１におけるキー入力の受け付けが有効になるように設定する。
【００５２】
ステップＳ３０６において、制御部１３は、Ｂ−ＣＡＳカードがＢ−ＣＡＳカード挿入部１２から抜かれたか否かを判定し、Ｂ−ＣＡＳカードが抜かれた場合はステップＳ３０７に進み、Ｂ−ＣＡＳカードが抜かれていない場合はステップＳ３０６を繰り返す。
【００５３】
ステップＳ３０７において、制御部１３は、Ｂ−ＣＡＳカード挿入部１２から抜かれたＢ−ＣＡＳカードの識別番号が特定の識別番号だったか否かを判定し、特定の識別番号だった場合はステップＳ３０８に進み、特定の識別番号ではなかった場合はステップＳ３０１に戻る。
【００５４】
ステップＳ３０８において、制御部１３は、警報音の出力やキー入力の無効化を行わない設定が有効になっているか、または無効になっているかの設定値を読み出す。
【００５５】
ステップＳ３０９において、制御部１３は、読み出した設定値が有効である場合にはステップＳ３１０に進み、無効の場合は、ステップＳ３０１に戻る。
【００５６】
ステップＳ３１０において、制御部１３は、キー入力部１１におけるキー入力の受け付けが無効になるように設定する。
【００５７】
ステップＳ３１１において、制御部１３は、警報音出力１９に警報音を出力させ、ステップＳ３０１に戻る。
【００５８】
以上説明したように、本発明の情報出力装置は、Ｂ−ＣＡＳカードが取り出されたら警報音を出力し、Ｂ−ＣＡＳカードの盗難を防止することができる。警報音と同時にキー入力の受け付けを無効にし、音量を下げられたり、電源をオフにされたりして警報音が鳴らなくされるのを防ぐことができる。また、一般のユーザが所有する複数の情報出力装置間でＢ−ＣＡＳカードの移動を行う際、警報音が鳴るのを防止するように設定することができる。Ｂ−ＣＡＳカードの識別番号に応じて、例えば店頭や公共の施設などに設置される場合にのみ警報音が鳴るようにすることができる。
【００５９】
上記実施の形態では、音を警報手段として説明した。警報音出力部は、従来から搭載されている内蔵音出力部（図示せず）と兼用できれば、価格抑制にも有効である。
【００６０】
警報手段は、人への通知手段であれば、ランプの発光や画面表示、通信手段を用いた通知手段などであってもよい。
【００６１】
さらに、上記実施の形態では、Ｂ−ＣＡＳカードを使用する情報出力装置を例として説明したが、本発明は、Ｂ−ＣＡＳカード以外の出力信号のコンテント保護機能に利用される媒体を使用する出力信号のコンテンツ保護機能を持つ情報出力装置にも利用可能である。
【産業上の利用可能性】
【００６２】
本発明は、情報出力装置に利用可能である。
【図面の簡単な説明】
【００６３】
【図１】本発明の情報出力装置の構成の一例を示すブロック図である。
【図２】本発明の情報出力装置の動作の一例を説明するフローチャートである。
【図３】本発明の情報出力装置の動作の別の一例を説明するフローチャートである。
【符号の説明】
【００６４】
１  情報出力装置
１１  キー入力部
１２  Ｂ−ＣＡＳカード挿入部
１３  制御部
１４  チューナ
１５  デマルチプレクサ
１６  映像音声処理部
１７  映像出力部
１８  音声出力部
１９  警報音出力部
２０  音声混合部
【図１】
2009278318.tif 000003
【図２】
2009278318.tif 000004
【図３】
2009278318.tif 000005